(57)【要約】    【課題】この考案は散歩をする人が、安全でしかも犬等のペットと散歩している雰囲気を味わうことの出来る杖に関する。ペットを連れての散歩は楽しいものであるが、ペットを飼育していない人はその雰囲気を味わえないし、他方、ペットを飼っている人に取っては散歩時に糞袋を携帯し、糞を回収、持ち帰り、廃棄するという一連の作業は、好ましいものではない。     【解決手段】車輪付き台車の上にペット模擬体を取付け、これに杖本体を着脱自在に取り付ける。ペット模擬体には、電池を内蔵しており、ペットの鳴き声用のブザー、シッポを動かすモーター駆動装置等を有している。ペット模擬体の雰囲気を変えるため、服を着せ替えする事もできる。      また、ペット模擬体の目から前方を照明する照明灯を内蔵しており、杖本体には蛍光塗料を塗布し照明灯を仕込み、夜間等にはこれを点灯し、相手にこちらの位置を認識させやすく安全に配慮している。   【選択図】  図１
0003174336.tif 000002
【実用新案登録請求の範囲】
【請求項１】
杖本体、ペット模擬体、車輪を有する台座部から構成され、台座部の上部にペット模擬体が取付けられ、杖本体はペット模擬体を貫通し、台座部の前輪と勘合し、着脱可能に取付けられた事を特徴とする杖。
【請求項２】
電池を電源として杖本体に取付けられたスイッチにより、ペット模擬体の目から前方を照らす照明灯、ペット模擬体の鳴き声を発するブザー、ペット模擬体のシッポを動かすモーター駆動装置の少なくともいずれか一つをペット模擬体内部に収納したことを特徴とする請求項１記載の杖。
【請求項３】
杖幹を光透過性材料で構成して内部に照明灯を収納した杖、内部に照明灯を収納した人が掛ける襷の少なくともいずれか一つを備え、杖幹または襷の照明灯とペット模擬体内部に収納される電池を電気的に接続し、杖本体に取付けられたスイッチにより動作するようにした事を特徴とする請求項１、請求項２のいずれかに記載の杖。
【請求項４】
ペット模擬体は着替服を着せ替えできる構造としたことを特徴とする請求項１、２、３のいずれかに記載の杖
【考案の詳細な説明】
【技術分野】
【０００１】
この考案は杖を持って散歩をする人が、安全でしかも犬等のペットと散歩している雰囲気を味わうことの出来る杖に関するものである。
【背景技術】
【０００２】
従来の杖は、その使用者の体重を支持して歩行の補助をするものや、盲人の歩行を助けるものである。杖の下端に移動用の車輪を付けた物もあるが、杖の下端に車輪付きでデザイン性のあるペット模擬体を取り付け、散歩をする事が楽しく成るような杖は無い。
【先行技術文献】
【特許文献】
【０００３】
【特許文献１】特許第４０９８８００
【特許文献２】特開２００１−１３７０２３
【特許文献３】実開平４−１５４１３
【特許文献４】実登３０５９８０９
【考案の概要】
【考案が解決しようとする課題】
【０００４】
ペットを連れての散歩は楽しいものであるが、ペットを飼育していない人にとってはその雰囲気を味わえないし、他方、ペットを飼っている人に取っては散歩時に糞袋を携帯し、糞を回収、持ち帰り、廃棄するという一連の作業は、好ましいものではなかった。
この考案は、これら前記事情を解決するために成されたものである。
【課題を解決するための手段】
【０００５】
本考案の杖は、杖の先端に車輪を有する台座にペット模擬体を取付けたものである。
本考案の請求工１の杖は、杖本体、ペット模擬体、台座部から構成され、台座部の上部にペット模擬体が取付けられ、杖本体はペット模擬体を貫通し、台座部の前輪と勘合し、着脱可能に取付けられている。
本考案によれば、杖を持って散歩するとき、あたかもペットを連れて散歩しているような雰囲気が味わえ、しかもペット模擬体の下部には車輪が取付けてあるので、杖で容易にペット模擬体を動かすことが出来る。また、ペット模擬体であるので糞袋等を携帯する必要は無い。
【０００６】
本考案の請求工２の杖は、ペット模擬体の内部に、電池を電源として杖頭に取付けられたスイッチにより、ペット模擬体の目から前方を照明する照明灯、ペット模擬体の鳴き声で警報を発するブザー、ペット模擬体のシッポを動かすモーター駆動装置  の少なくともいずれか一つを備えたものとしている。電池は、乾電池でも良いし、充電用の電池としても良い。
本考案によれば、杖を持って散歩するとき、杖頭に取付けられたスイッチのON、OFFにより、ペット模擬体の目から前方を照明したり、ペット模擬体の鳴き声で警報を発したり、ペット模擬体のシッポを動かすことが出来るので、安全で生きたペット模擬体を連れて散歩しているような雰囲気が味わうことが出来る。
【０００７】
本考案の請求工３の杖は、杖幹を光透過性材料で構成して内部に照明灯を収納した杖、または、内部に照明灯を収納した人が掛ける襷の少なくともいずれか一つを備え、杖幹または襷の照明灯とペット模擬体内部に収納された電池を電気的に接続し、杖頭に取付けられたスイッチにより照明体を点灯するようにしている。
本考案によれば、杖頭に取付けられたスイッチにより杖幹を光らせたり、襷を光らせたりすることが出来るので、夜間等には相手にこちらの位置を容易に認識させる警告標識をなり、安全な散歩をすることができる。
【０００８】
本考案の請求工４は、ペット模擬体に着替服を着せ替えができる構造としている。
本考案によれば、ペット模擬体に着替服の着せ替えができるので、着替服によりペット模擬体の外観を変えることが出来、いつまでも飽きがこないし、衣類の着せ替えにより季節の変化も楽しむことが出来き、杖を持っての散歩がより楽しいものとなる。
【考案の効果】
【０００９】
この杖を使用することにより、安全で楽しい散歩ができ、老人や家に閉じ籠りがちな人等の運動不足を解消し、健康維持・増進に貢献することが期待できる。
【図面の簡単な説明】
【００１０】
【図１】ペット模擬体を有する杖
【図２】杖本体
【図３】ペット模擬体
【図４】台車部
【考案を実施するための形態】
【００１１】
本考案は、杖本体、ペット模擬体、台車部や電池、照明灯、ペット模擬体の鳴き声を発するブザー、シッポ等ペット模擬態の一部を動かす事が出来るモーター駆動装置等のペット模擬体内部収納物、着替服で構成している。
そして、杖頭に仕込まれたスイッチとペット模擬体内収納物とは、杖本体内を通る電線により電気的に接続しており、前記スイッチの操作によりペット模擬体内部収納物を操作できるようにしている。
【実施例】
【００１２】
次に、本発明を実施するための形態について、図面を参照しながら杖の一例を説明する。ただし、以下に示す実施例は、本発明の技術思想を具体化するための杖の一例を示すものであって、以下のものに特定するものでない。
【００１３】
この考案のペット模擬体２として犬を使った実施例を図１に示す。１はこの考案に係わる杖本体である。この杖本体１の先端にはペット模擬体２が取付けられている。このペット模擬体２は台座部３の上に固定されている。
【００１４】
図２において、杖本体１は、杖幹１１と杖頭１２から成り、杖幹１１と杖頭１２はジョイント１３で接合している。ジョイント１３の操作により杖幹１１を引出、杖全体の長さを調整できる。
杖幹１１は光透過性の材料、たとえばポリカーボネート、で製作してあり、表面には蛍光塗料を塗布してある。夜間に対向車の光で蛍光塗料が蛍光することにより、対向車から認識しやすく、事故の防止を図っている。
杖幹１１の内部には電球１４、たとえばLED電球、を複数個取付けてあり、杖頭１２に設けられているスイッチボタン１６と接続されており、ペット模擬体２内部に設置してある電池を電源として、スイッチボタン１６のON、OFFにより点滅できる。
杖幹１１の内部の電球１４を点灯すると、蛍光塗料を塗布した杖幹１１が対向車の光が無くても蛍光し、相手に認識されやすく、事故の防止を図っている。
杖幹１１はペット模擬体２の胴体を貫通し、台座部３の前輪３２に鍵溝１５で接合されており、台座部３の前輪３２に直結して設けられた凸鍵３４と勘合し、杖頭１２を左右に動かせば前輪３２も左右に同期して動くよう成っている。
【００１５】
３個のスイッチボタン１６は、３個の端子１７とそれぞれ対応している。＋、−端子で１セットである３セットの端子１７は、夫々ペット模擬体２の内部に設置された電池を介して、ペット模擬体２の目から光を発する照明と杖幹１１内の電球１４や襷を光らせる回路、ペット模擬体２の鳴き声で警報を発するブザー、ペット模擬体２のシッポを動かすモーター駆動装置の回路を構成している。
ペット模擬体２の鳴き声を発するブザーは電子的機構の発生器を使い、ペット模擬体２に会わせた鳴き声を発生できるようにしても良い。たとえば、ペット模擬体２が犬ならワンワン、猫ならニャンニャンというようにする。
【００１６】
図３において、ペット模擬体２は、照明灯により光を発する目２１、ブザーからペット模擬体２の鳴き声で警報を発する口２３、モーター駆動装置で動くシッポ２２、着替服２４等で構成している。
ペット模擬体２には、杖幹１を通す穴が貫通しており、穴の途中には杖幹１１の下端部に設けられた端子１７と電気的に接続される＋、−端子で１セットである３セットの端子を有している。目２１から光を発する照明灯回路、ペット模擬体２の口２３から鳴き声を発するブザー回路、シッポ２２を動かすモーター駆動装置の回路は、前記３セットの端子に夫々接続されている。
【００１７】
図４において、台座部３は、台座３１、前輪３２、後輪３３、取付穴３４、前輪３２に直結した凸鍵３５で構成している。前輪３２は２個で構成してもよいが、軽量化の観点から１個で構成し、後輪３３と合わせて３輪が望ましい。また、ペット模擬体２を台座３１に取付ける取付穴３４は４個に拘らないが、ペット模擬体２の足が４本とも台座３１に接する場合は、４個とした方が丈夫で壊れにくい。凸鍵３５は、杖幹１１の先端に設けた鍵溝１５に勘合し、杖頭１２を左右に動かすのに連動して前輪３２が左右に動くようにしている。ペット模擬体２を右に進ませたい場合は、杖頭１２を右に回転させると前輪３２が右に回り、スムーズにペット模擬体２を進めることが出来る。
【００１８】
以上述べたように、本考案の杖は台座部３に車輪３２、３３を有しているので、杖頭１２を持って軽く押すだけでペット模擬体２を動かすことができ、曲がるときも、杖頭１２を右に回せばスムーズに右に進むことができ、また、左に回るときも杖頭１２を左に回せばスムーズに左に進むことができる。ペット模擬体２が不要なときは、杖だけにして使用することもできる。
【産業上の利用可能性】
【００１９】
本考案の杖は、ペットを飼う事が出来ない人にも、犬等のペットを連れて散歩している様な雰囲気を与え、家に閉じ籠りがちな人等の運動不足を解消し、健康維持・増進に貢献することが期待でき、産業の振興に寄与することが出来る。
【符号の説明】
【００２０】
１  杖本体
２  ペット模擬体
３  台座部
１１  杖幹
１２  杖頭
１３  ジョイント
１４  電球
１５  鍵溝
１６  スイッチボタン
１７  端子
２１  目
２２  シッポ
２３  口
２４  着替服
３１  台座
３２  前輪
３３  後輪
３４  凸鍵
【図１】
0003174336.tif 000003
【図２】
0003174336.tif 000004
【図３】
0003174336.tif 000005
【図４】
0003174336.tif 000006